【事件の表示】
　特願２００４−１２１９８１「撮像装置」拒絶査定不服審判事件〔平成１６年　８月２６日出願公開、特開２００４−２４２３６１〕について、次のとおり審決する。
【結　論】
　本件審判の請求は、成り立たない。
【理　由】
１　本願発明
　本願は、平成４年５月２２日になされた出願（特願平４−１５４１００号）の分割出願であって、その請求項１に係る発明（以下、「本願発明」という）は、平成１６年１０月４日付け、平成１７年１月５日付け手続補正書により補正された明細書および図面の記載からみて、特許請求の範囲の請求項１に記載された次のとおりのものと認める。
「【請求項１】
　被写体からの光を変換してフレーム毎の画像データを出力する撮像手段と、
　上記画像データを記憶する１次メモリと、
　撮像動作をトリガするトリガ手段と、
　上記１次メモリへの上記画像データの書き込みを制御する制御手段と、
　上記制御手段による上記画像データの書き込み間隔を任意に設定する設定手段とを有し、
　上記設定手段が、上記トリガ手段によるトリガ前の画像データを上記１次メモリに書込む際の書き込み間隔を、上記撮像手段が上記フレーム毎の画像データを出力する間隔
のｎ倍（ｎは２以上の整数）の
　上記制御手段は、上記トリガ手段によるトリガ動作までは、上記設定手段により設定された上記撮像手段が上記フレーム毎の画像データを出力する間隔
のｎ倍（ｎは２以上の整数）の
を特徴とする撮像装置。」
　
２　刊行物発明
　これに対して、原審拒絶理由で引用された、本願の出願日前である平成３年９月１８日に頒布された「特開平３−２１３０６９号公報」（以下、「刊行物１」という）は、「電子スチルカメラ」に関するものであって、その公報には図面とともに次の事項が記載されている。
ア　「本発明は、（中略）撮影者がレリーズ部材を操作して撮影動作を行う直前の所定のタイミングの画面を記録して、撮影時の遅れ時間がほとんどゼロの本来所望するシャッターチャンスの記録画像が容易に得られる電子スチルカメラを提供することを目的とする。」（２頁左下欄３行ないし９行）
イ　「このように構成を備えた本発明の電子スチルカメラによれば、レリーズ信号が得られる前の撮影準備段階で撮像手段から得られた映像信号がバッファメモリーに順次格納され、撮影者のレリーズ操作によってレリーズ信号が得られると、にバッファメモリーに格納されている１又は複数画面分の映像信号が記録媒体に転送記録されるので、撮影者のレリーズ動作の遅れ時間に相当する分のレリーズ信号発生前の時点の映像信号が記録媒体に記録でき、狙い通りのシャッターチャンスの映像が初心者でも容易に撮影記録できる。
　また、バッファメモリーへの新しい映像信号の書込む動作のサイクルタイムを任意に設定できることで、撮影者の熟練度や技量、撮影条件などにきめ細かく対応することもできる。」（２頁右下欄１７行ないし３頁左上欄１１行）
ウ　「第１図は本発明の一実施例を示した実施例構成図である。
　第１図において、撮像部１００は撮影レンズ１、絞り２、ＣＣＤ等の撮像素子３、撮像素子３の動作を制御する撮像素子駆動回路４、撮像素子３の出力信号を映像信号に変換処理するためのプロセス回路５、Ａ／Ｄコンバータ６などにより構成される。
　Ａ／Ｄコンバータ６によりＡ／Ｄ変換された映像信号は、バッファメモリー７および記録部２００のメモリーパック１０に与えられる。
　バッファーメモリー７は、ＲＡＭ素子などの記憶内容が書換え可能な半導体フレームメモリーによって構成されており、撮影された静止画像の３画面分程度を記憶できる容量を有している。」（３頁左上欄１３行ないし右上欄７行、第１図）
エ　「この実施例の電子スチルカメラでは、一駒撮りのＳモードと連続駒撮りのＣモードとが選択可能であるが、まずＳ−Ｃ切換ノブ２４をＳモードの位置に設定した場合の動作を説明する。
　撮影に先立って、撮影の際にバッファメモリー７からメモリーパック１０へ転送記録する画面の数を記録フレーム数設定ダイアル２６で０から３までの希望の値に設定する。（中略）同様に、バッファメモリー７への画像の読み込みタイミングをタイミング設定ダイアル２５で、Ｌ，Ｍ，Ｈ，ＳＨの中の一つを選定する。Ｌ〜ＳＨの４つの設定は、バッファメモリー７への画像読み込みの時間間隔を、１００ｍｓｅｃ、５０ｍｓｅｃ、３３ｍｓｅｃ、１７ｍｓｅｃなどのように長短を選んで選択するもので、たとえば初心者のようにレリーズタイミングが不安定な場合には長めの時間設定に、特に微妙なシャッターチャンスが要求される場合には短めの時間設定にといった具合に設定することができる。」（４頁左上欄９行ないし右上欄１１行）
オ　「垂直同期信号に同期して開始したＣＣＤ３の電荷蓄積を、通常の露出時間に相当する所定の蓄積時間経過後、例えば第３図の例では約１／４５秒経後に停止し、電荷蓄積完了後に発生する最初の同期信号に応答してＣＣＤ３に蓄積された電荷を読み出し、プロセス回路５、Ａ／Ｄコンバータ６を経てバッファメモリー７の１番目のメモリー領域に記憶させる。
　更に半押し動作中は、設定スイッチ１５によりのタイミング設定された時間間隔、例えば第３図の例では５０ｍｓｅｃ毎に、ＣＣＤ３に新たに電荷蓄積された信号を順次バッファメモリー７の次のメモリー領域に記憶していく。
　第３図に示すように、ＣＣＤ３で取り込まれた映像を、Ａ，Ｂ，Ｃと各々順にバッファメモリー７の第１、第２、第３の各メモリー領域に記憶し、４番目のＤ以降は既に記憶済みのメモリー領域のうち最も古く記憶された領域に書換えて記憶される。」（４頁右下欄８行ないし５頁左上欄６行）
カ　「この本実施例では、動作を簡単にするために、タイミング設定ダイアル２５で設定されるＣＣＤ３への電荷蓄積およびバッファメモリー７への信号記憶を行う各画面ごとの時間間隔を、垂直同期信号の周期の整数倍となるように選んでいる。（中略）
　撮影者が、レリーズ釦２３の半押し状態からシャッターチャンスを知覚して、レリーズ釦２３を深く押し込むと、レリーズ信号がＨに切り替わり、さらに、このレリーズ信号の切り替わりの後に発生される二つ目の同期信号に同期してバッファメモリー７の書込み禁止信号がシーケンス制御回路１１からＨ信号として出力される。レリーズ信号のＨへの切り替わりの後に最初に電荷蓄積が終了する画面Ｅの映像信号が、その電荷蓄積動作を終了した後に発生する次の同期信号に同期して、ＣＣＤ３からプロセス回路５、Ａ／Ｄコンバータ６を経てメモリーパック１０に記録される。これに続いて、バッファメモリー７に記憶されているＤ，Ｃ，Ｂの画面の映像信号が、同期信号に同期して順次メモリーパック１０に転送記録される。」（５頁左上欄１４行ないし右上欄１８行）
キ　「この実施例の改良案として、バッファメモリー７への記憶画面のサンプリング時間を短くしておき、メモリーパック１０へは１つおきに転送記録し、半分の画面数を記録しても良い。即ち第３図の例ではＣとＡだけを記録する。更に２つ置きに転送記録することで１／３のサンプリング画だけを記録する方法によってメモリーパック１０の記録領域の無駄使いを少なくすることも可能である。」（５頁右下欄１９行ないし６頁左上欄６行）
　　
３　本願発明と刊行物１に記載された発明（以下、「刊行物発明」という）との対比
　本願発明と刊行物発明を対比すると、
（１）上記２アにより、刊行物１に記載された発明（以下、「刊行物発明」という）は、本願発明と同様の目的・課題を有するものといえるところ、上記２ウ、エにより、刊行物発明は、撮影レンズをとおった被写体からの光を撮像素子で受け、撮像素子からの信号をフレームメモリであるバッファメモリー（本願発明の「１次メモリ」に相当）に記憶し、フレーム数設定ダイアルによりフレーム数を設定してメモリーパックに記録するものであり、画像データはフレーム毎であるといえるから、刊行物発明と本願発明とは「被写体からの光を変換してフレーム毎の画像データを出力する撮像手段と、上記画像データを記憶する１次メモリ」を有する点で一致している。
　また、上記２カにより、刊行物発明の「レリーズ釦」は、本願発明の「撮像動作をトリガするトリガ手段」に相当する。
　さらに、上記２オにより、刊行物発明は、ＣＣＤに蓄積された電荷を読み出し、プロセス回路、Ａ／Ｄコンバータを経てバッファメモリーに記憶させるものであり、上記２イ、エにより、刊行物発明は、バッファメモリーへの新しい映像信号の書込む動作のサイクルタイムを任意（例えば、１００ｍｓｅｃ、５０ｍｓｅｃ、３３ｍｓｅｃ、１７ｍｓｅｃ）に設定できるものであるから、本願発明の「上記１次メモリへの上記画像データの書き込みを制御する制御手段と、上記制御手段による上記画像データの書き込み間隔を任意に設定する設定手段とを有」する点に相当する構成を有している。
　また、上記２オにより、刊行物発明は、レリーズ釦半押し動作中は、設定スイッチによりタイミング設定された時間間隔毎に、ＣＣＤに新たに電荷蓄積された信号を順次バッファメモリーに記憶していくものであるから、本願発明の「上記設定手段が、上記トリガ手段によるトリガ前の画像データを上記１次メモリに書込む際の書き込み間隔を設定した場合には、上記制御手段は、上記トリガ手段によるトリガ動作までは、上記設定手段により設定された間隔で上記１次メモリに画像データを書き込」む点に相当する構成を有している。
　そして、上記２イ、オ、カにより、刊行物発明は、レリーズ釦が深く押し込まれ、レリーズ信号がＨに切り替わると、その後に最初に電荷蓄積が終了する画面Ｅの映像信号がプロセス回路、Ａ／Ｄコンバータを経てメモリーパック（本願発明の「記録媒体」に相当）に記録され、バッファメモリーにレリーズ信号がＨに切り替わる以前から記憶されているＤ，Ｃ，Ｂの画面の映像信号が、メモリーパックに記録される撮像装置といえるから、本願発明の「上記トリガ手段によるトリガ動作後に、上記１次メモリに記憶された上記トリガ動作前の画像データと上記トリガ動作後の画像データを上記記録媒体に記録することを特徴とする撮像装置。」に相当する構成を有している。
　もっとも、上記画像データの書き込み間隔を任意に設定する上記設定手段が上記トリガ手段によるトリガ前の画像データを上記１次メモリに書込む際の書き込み間隔について、本願発明が、「上記撮像手段が上記フレーム毎の画像データを出力する間隔のｎ倍（ｎは２以上の整数）の間隔に設定した場合には、上記制御手段は、上記トリガ手段によるトリガ動作までは、上記設定手段により設定された上記撮像手段が上記フレーム毎の画像データを出力する間隔のｎ倍（ｎは２以上の整数）の間隔で上記１次メモリに画像データを書き込」むものであるところ、刊行物発明は、バッファメモリーへの新しい映像信号の書込む動作のサイクルタイムを任意（例えば、１００ｍｓｅｃ、５０ｍｓｅｃ、３３ｍｓｅｃ、１７ｍｓｅｃ）に設定した場合において、垂直同期信号に同期して開始したＣＣＤ３の電荷蓄積を、通常の露出時間に相当する所定の蓄積時間経過後、例えば約１／４５秒経過後に停止し、電荷蓄積完了後に発生する最初の同期信号に応答してＣＣＤ３に蓄積された電荷を読み出すものである点で相違している。
（２）したがって、両者は「被写体からの光を変換してフレーム毎の画像データを出力する撮像手段と、上記画像データを記憶する１次メモリと、撮像動作をトリガするトリガ手段と、上記１次メモリへの上記画像データの書き込みを制御する制御手段と、上記制御手段による上記画像データの書き込み間隔を任意に設定する設定手段とを有し、上記設定手段が、上記トリガ手段によるトリガ前の画像データを上記１次メモリに書込む際の書き込み間隔を設定した場合には、上記制御手段は、上記トリガ手段によるトリガ動作までは、上記設定手段により設定された間隔で上記１次メモリに画像データを書き込み、上記トリガ手段によるトリガ動作後に、上記１次メモリに記憶された上記トリガ動作前の画像データと上記トリガ動作後の画像データを上記記録媒体に記録することを特徴とする撮像装置。」である点で一致し、以下の点で一応相違しているものと認められる。
（ア）上記画像データの書き込み間隔を任意に設定する上記設定手段が上記トリガ手段によるトリガ前の画像データを上記１次メモリに書込む際の書き込み間隔について、本願発明が、「上記撮像手段が上記フレーム毎の画像データを出力する間隔のｎ倍（ｎは２以上の整数）の間隔に」設定した場合には、「上記撮像手段が上記フレーム毎の画像データを出力する間隔のｎ倍（ｎは２以上の整数）の間隔」で上記１次メモリに画像データを書き込むものであるところ、刊行物発明は、バッファメモリーへの新しい映像信号の書込み動作のサイクルタイムを例えば、１００ｍｓｅｃ、５０ｍｓｅｃ、３３ｍｓｅｃ、１７ｍｓｅｃに設定した場合において、垂直同期信号に同期して開始したＣＣＤ３の電荷蓄積を、通常の露出時間に相当する所定の蓄積時間経過後、例えば約１／４５秒経過後に停止し、電荷蓄積完了後に発生する最初の同期信号に応答してＣＣＤ３に蓄積された電荷を読み出すものである点。
　　
４　相違点（ア）についての検討
　上記２カには、ＣＣＤへの電荷蓄積およびバッファメモリーへの信号記憶を行う各画面ごとの時間間隔を、垂直同期信号の周期の整数倍となるようにしている点が記載され、各画面ごとの時間間隔は整数倍の値となることが示唆されており、上記２イによれば、引用例発明のものも任意の時間間隔を設定できるものといえ、また上記２キには、バッファメモリー７への記憶画面のサンプリング時間を短くしておき、メモリーパック１０へは１つおきあるいは２つおきに転送記録し、半分あるいは１／３の画面数を記録しても良い点が記載されており、１つおきあるいは２つおきの画像を記録する点につき示唆があるところ、撮像素子からの画像データを間引くことも常套技術（例えば、特開昭６３−３９２８７号公報、特開昭５９−５１６７２号公報、特開平２−１０５７８６号公報参照）であり、１次メモリに記憶する時点で画像データを間引くか記録媒体に記録する時点で画像データを間引くかは、１次メモリーの容量、記録媒体の容量等を勘案して適宜選択する程度のことであるといえるから、撮像手段がフレーム毎の画像データを出力する間隔のｎ倍（ｎは２以上の整数）の間隔に設定した場合には、撮像手段が上記フレーム毎の画像データを出力する間隔のｎ倍（ｎは２以上の整数）の間隔で上記１次メモリに画像データを書き込むようにする点は、当業者にとって容易に推考できたものといえ、また、上記相違点に基づく本願発明の効果に格別顕著なものがあるともいえない。
　
５　むすび
　したがって、本願発明は、刊行物１に記載された発明および常套技術に基いて当業者が容易に発明をすることができたものであるので、本願は、特許法第２９条第２項の規定により特許を受けることができない。
　よって、結論のとおり審決する。